(57)【要約】【課題】この実施形態では、利用者のサイネージ情報の使い方を豊富にし、デジタルサイネージの利用効率を上げることができる情報通信方法、情報通信システム及び情報通信装置を提供する。【解決手段】実施形態によれば、ネットワークを介してサーバに接続される表示器を有し、前記表示器は、画像情報を表示し、携帯端末により前記画像情報が制御され、前記表示器は、前記画像情報を制御している前記携帯端末との対応関係を明確にするために、前記画像情報に前記携帯端末用の識別マークを付加する。【選択図】図２
2018092659.tif 000002
【特許請求の範囲】
【請求項１】
ネットワークを介してサーバに接続される表示器を有し、
前記表示器は、画像情報を表示し、携帯端末により前記画像情報が制御され、
前記表示器は、前記画像情報を制御している前記携帯端末との対応関係を明確にするために、前記画像情報に前記携帯端末用の識別マークを付加する、
ことを特徴とする表示装置。
【請求項２】
前記画像情報は、前記表示器と前記携帯端末との間の通信系路により制御される、請求項１記載の表示装置。
【請求項３】
前記画像情報が複数表示されている場合で、かつ、それぞれの画像情報が異なる携帯端末により制御される場合、前記識別マークは、それぞれ前記異なる携帯端末ごとに異なる識別マークである、請求項１記載の表示装置。
【請求項４】
前記識別マークが付加された前記画像情報は、メッセージ用の画像情報である請求項１記載の表示装置。
【請求項５】
前記識別マークが付加される前記画像情報は、セール用の画像情報である、請求項１記載の表示装置。
【請求項６】
前記セール用の画像情報は、前記携帯端末によるダウンロード操作がなされた場合、残りのダウンロード回数を表示する、請求項５記載の表示装置。
【請求項７】
ネットワークを介してサーバに接続される表示器を有する表示装置の制御方法であって、
前記表示器では、画像情報を表示し、携帯端末により前記画像情報が制御され、
前記表示器では、前記画像情報を制御している前記携帯端末との対応関係を明確にするために、前記画像情報に前記携帯端末用の識別マークを付加する、
ことを特徴とする表示装置の制御方法。
【請求項８】
前記画像情報を、前記表示器と前記携帯端末との間の通信系路により制御する、請求項７記載の表示装置の制御方法。
【請求項９】
前記画像情報が複数表示されている場合で、かつ、それぞれの画像情報が異なる携帯端末により制御される場合、前記識別マークをそれぞれ前記異なる携帯端末ごとに異なる識別マークとして表示する、請求項７記載の表示装置の制御方法。
【請求項１０】
前記識別マークを、メッセージ用の画像情報に付加する、請求項７記載の表示装置の制御方法。
【請求項１１】
前記識別マークを付加する前記画像情報は、セール用の画像情報である、請求項７記載の表示装置の制御方法。
【請求項１２】
前記セール用の画像情報は、前記携帯端末によるダウンロード操作がなされた場合、残りのダウンロード回数を表示する、請求項１１記載の表示装置の制御方法。
【発明の詳細な説明】
【技術分野】
【０００１】
本実施形態は、表示装置及び表示装置の制御方法に関する。
【背景技術】
【０００２】
電子的な広告システムとして、デジタルサイネージと称される通信システムがある。この通信システムは、屋外や屋内の複数個所にディスプレイとしてのサイネージ端末を配置している。サイネージ端末は、サイネージサーバから送られてくる、広告などのメッセージを受信して表示する。利用者は、サイネージ端末を見て、興味のあるメッセージがある場合、例えば携帯端末を利用して広告のバーコードを読み取り、携帯端末を介して広告提供者にコンタクトすることができる。
【先行技術文献】
【特許文献】
【０００３】
【特許文献１】特開２０１２−１８４５７号公報
【発明の概要】
【発明が解決しようとする課題】
【０００４】
上記したサイネージ端末は、サイネージ端末を介して、広告などの情報を視聴者に向けて一方的に配信している。現状を見た場合、サイネージ端末を利用する利用者が少ない。
【０００５】
そこでこの実施形態では、利用者のサイネージ情報の使い方を豊富にし、デジタルサイネージの利用効率を上げることができる情報通信方法および情報通信装置を提供することを目的とする。
【課題を解決するための手段】
【０００６】
実施形態によれば、ネットワークを介してサーバに接続される表示器を有し、前記表示器は、画像情報を表示し、携帯端末により前記画像情報が制御され、前記表示器は、前記画像情報を制御している前記携帯端末との対応関係を明確にするために、前記画像情報に前記携帯端末用の識別マークを付加する。
【図面の簡単な説明】
【０００７】
【図１】実施形態が適用されているデジタルサイネージの代表的な概略的構成を示す図である。
【図２】実施形態の代表的な動作例を説明するために示した説明図であり、操作と動作タイミングの例を示している。
【図３】実施形態の代表的な動作例を説明するために示した説明図であり、サイネージ端末の表示例を示す図である。
【図４】実施形態の代表的な他の動作例を説明するために示した説明図であり、サイネージ端末の構成例を示す図である。
【図５】実施形態の代表的なさらに他の動作例を説明するために示した説明図であり、サイネージ端末の構成例を示す図である。
【図６Ａ】実施形態の代表的なさらにまた他の動作例を説明するために示した説明図であり、サイネージ端末の表示例と携帯端末の操作例を示す図である。
【図６Ｂ】実施形態の代表的なさらにまた他の動作例を説明するために示した説明図であり、携帯端末の表示例を示す図である。
【図６Ｃ】実施形態の代表的なさらにまた他の動作例を説明するために示した説明図であり、携帯端末の表示例を示す図である。
【図７】実施形態の代表的なまた他の動作例を説明するために示した説明図であり、サイネージ端末の表示例と携帯端末の操作例を示す図である。
【図８Ａ】実施形態の代表的な他の動作例を説明するために示した説明図であり、サイネージ端末の表示例と携帯端末の操作例を示す図である。
【図８Ｂ】実施形態の代表的な他の動作例を説明するために示した説明図であり、サイネージ端末の表示例を示す図である。
【図９】実施形態の代表的な他の動作例を説明するために示した説明図であり、操作と動作タイミングの例を示している。
【図１０】実施形態の代表的なさらに他の動作例を説明するために示した説明図であり、操作と動作タイミングの例を示している。
【図１１】実施形態の代表的な他の動作例を説明するために示した説明図であり、サイネージ端末の表示例を示す図である。
【図１２】実施形態の代表的なさらに他の例を説明するために示した図である。
【図１３Ａ】実施形態を使用した場合の使用状態の例を説明するために示した図である。
【図１３Ｂ】実施形態を使用した場合の使用状態の他の例を説明するために示した図である。
【図１４】実施形態を使用した場合の使用状態のまた他の例を説明するために示した図である。
【図１５】実施形態を使用した場合の使用状態のさらに他の例を説明するために示した図である。
【図１６】実施形態を使用した場合の使用状態のまた他の例を説明するために示した図である。
【図１７】実施形態を使用した場合の使用状態のまた例を説明するために示した図である。
【発明を実施するための形態】
【０００８】
以下、実施の形態について図面を参照して説明する。図１において１０００は例えばクラウドサーバ（以下簡略化してサーバと称する）である。サーバ１０００は、基地局３０００を介して携帯端末２０００と通信を行うことができる。
【０００９】
携帯端末２０００は、例えばパーソナルコンピュータ２００１、タブレット２００２、携帯電話（スマートフォーンなど）２００３を含む。
【００１０】
上記サーバ１０００は、ネットワーク（インターネット、ローカルエリアネットワーク、無線システム、或いはこれらの複合システムなど）５０００を介してサイネージ端末４０００と接続される。符号を付したサイネージ端末４０００を代表して示しているが、サイネージ端末は複数であり、アウトドア、インドアを含めて種々の環境の場所に設置される。
【００１１】
例えば、サイネージ端末４０００の設置場所としていては、イベント会場の複数個所、会社内の複数個所、工場内の複数個所、駅構内の複数個所、スーパーマーケットやアウトレットモールの複数個所、デパートの複数個所、病院や施設の複数個所、などがある。
【００１２】
サイネージ端末４０００は、インターネットに接続される送受信機４００１、送受信信号を処理するための信号処理器４００２、表示器４００３、統括的な制御を行う制御部４００４を含む。また、ＵＳＢメモリなどを接続するための接続端子４００５を備えてもよい。
【００１３】
図２は、携帯端末２０００、サイネージ端末４０００、サーバ１０００間で相互通信が実施されるときの一例を示している。
【００１４】
携帯端末２０００は、利用者による操作に基づいて、サイネージ端末４０００からアドレスを取得することができる（ステップＳＡ１）。このアドレスは、例えばＵＲＬ（Uniform Resource Locator）を示している。アドレスの取得方法は、種々の方法があり、後で説明する。
【００１５】
携帯端末２０００は、取得したアドレスを用いてサーバ１０００との間の回線接続行うことができる。利用者がサイネージ端末４０００にメッセージをアップしたい場合、サーバ１０００に対してカードのテンプレートを要求する（ステップＳＡ３）。この場合は、例えば利用者は、携帯端末２０００のカードのテンプレート要求ボタンを押す。
【００１６】
するとサーバ１０００は、カードのテンプレートを携帯端末２０００に送信してくる（ステップＳＡ４）。これにより携帯端末２０００では、利用者の操作に基づいて、カードとしてのコンテンツの作成が実施される（ステップＳＡ５）。
【００１７】
なおカードは、後でも説明されるが、例えばフレーム、画像生成用ピース、テンプレート、短冊、タイルなどと称されてもよく、呼び名が限定されるわけではない。ここで言うカードは例えば以下のような意味も含むものである。
【００１８】
即ち、サイネージ画面に、複数貼り付けられる部品の画像として捕らえることもできる。部品としては、各種であり、また、各カードの形状は基本的には同形状であってもよい。同形状の場合は、サイネージの画面に整理して配列されやすいという利便性がある。
【００１９】
また、カードの形状はユーザが利用するスマートホーンの画面と同じとなるように縦長の共通形状が標準であってもよい。
【００２０】
ただし各カードの形状は異なってもよいことは勿論である。例えば各ユーザのそれぞれのスマートホーン画面と相似的な形状、またはユーザが設定或いは選択した形状などでもよい。またカードで伝える内容の種別毎、ユーザ毎、カテゴリ毎にカードの大きさや色、形状などを選択できるようにしてもよい。例えば、互いにコミュニケーションを行うユーザＡとユーザＢとが、互いに使用するカードの形状や色を取り決められるようにしてもよい。また、行き先などを伝える場合、利用する交通機関に応じて、バスの形状のカードやバスのマークが付されたカード、電車の形状のカードや電車のマークが付されたカード、自転車の形状のカードや自転車のマークが付されたカードが利用可能とされてもよい。
【００２１】
各カードには、ユーザが作成したコンテンツが格納され、当該カードが投稿されると、コンテンツを伴うカードやデザインされたカードがサイネージ端末上で表示、再生される。
【００２２】
そして、コンテンツを伴うカード、またはデザインされたカードは、サイネージ端末に表示されているサイネージボードから画像として携帯端末の画面上に入手されることができる。カードは各ユーザだけでなく、サイネージ提供者も作成することができる。
【００２３】
カードのコンテンツとしては、カテゴリとして文字、画像、動画、音声なども付加することができる。
【００２４】
カードはサイネージ端末の画面内の所定位置に貼り付けられる、或いは配置される、あるいは吊り下げられる、あるは浮上されるというバーチャル感覚として捕らえられることができる。
【００２５】
例えばカードの取り扱い方法をサイネージ画面内の仮想空間的な感覚で説明することができる。例えば、壁にフックや吊り具が予め設けられていて、この各フックにユーザがカードを吊り下げる状態とすることができる、またフックなどに吊り下がっているカードをユーザが取ってくる感覚を得ることができる。
【００２６】
仮想空間的な感覚では、上記の「壁」の役割がサイネージ画面全体であり、吊り具が、各カードが配置されるフレーム枠として感じることができる。
【００２７】
さらに仮想空間では、各カードは一つのフックに複数枚が重ねて吊り下げられることもできる。つまり各フレーム枠には複数のカードが積層表示できる。この利用方法の例は後でも説明される。
【００２８】
利用者は、携帯端末２０００の画面上でテンプレートを利用して、メッセージのためのコンテンツを作成する。コンテンツとしては、文字列、コメントを付加した写真などがある。
【００２９】
利用者は、携帯端末２０００の画面を見ながら、そしてタッチパネル上のキーボードを操作して、カードテンプレートに文字を記述することができる。携帯端末２０００がタッチパネル入力機能を有する場合、ペン先、或いは指先を触れることにより、文字入力することもできる。さらには携帯端末２０００がさらにカメラ機能を有する場合、カードテンプレートに写真画像を合成することもできる。
【００３０】
利用者は、上記した文字や写真などのコンテンツを付加してカードを好みのカード（デザイン）に仕上げることができる。
【００３１】
次にカードをサーバ（つまりサイネージ端末）にアップロードしたい場合、携帯端末２０００を操作して、アップロードを行う（ステップＳＡ６）。カードは、サーバ１０００に送られ、サーバ１０００は、このカードをサイネージ端末４０００に送信する（ステップＳＡ７）。これにより利用者がアップロードしたカードが、サイネージ端末４０００に表示される。サイネージ端末４０００に表示されたカードは、当該カードをアップした利用者により、消去することも可能である。「アップロードする」行為は、「投函、或いは投稿する行為」と称しても良い。
【００３２】
またサイネージ端末４０００に表示されたカードは、他の利用者あるいは、当該カードをアップした利用者により、ダウンロードすることもできる。この場合、ダウンロードの回数が設定されてもよい。つまり、利用者は作成したカードをサーバ１０００にアップロードするための操作を行うが、この操作を行う前に、当該カードがダウンロードされる回数に例えば、１０回、２０回、３０回などの制限を与えても良い。なおダウンロード内容としては、伝言メッセージ（テキスト）、音声、写真などである。
【００３３】
上記したように、利用者は、携帯端末２０００によりあたかもサイネージ端末４０００を直接操作しているかのように感じることができる。つまり携帯端末２０００とサイネージ端末４０００とは、物理的に近接したエリアにある。このためにサイネージ端末４０００が上記カードを表示した場合（ステップＳＡ８）、利用者は、あたかも自分が見ているサイネージ端末を操作しているかのように感じることができる。なお、携帯端末２０００においては、専用の（あるいは汎用の）アプリケーションを保持する必要が無く、サイネージ端末４０００へのアクセスにより、上述の（サイネージ端末４０００を直接操作しているかのような）操作が可能である。
【００３４】
図３は、サイネージ端末４０００にカード４０１１、４０１２、４０１３、４０１５が表示された様子を示している。またサイネージ端末４０００は、カードを表示する画面と同一画面に例えばＱＲコード（登録商標）４０２０（以下単にコードと称する）を表示することができる。このコードは、ＵＲＬを含み、サーバ１０００をアクセスするためのアドレスを提供している。
【００３５】
アドレス提供手段は、上記の方法に限定されるものではなく、種々の方法がある。バーコードによりアドレスが提供されてもよい。あるいは、ＡＲ（Augmented Reality；拡張現実）技術などが適用されてもよい。例えば、携帯端末２０００のカメラで、サイネージ端末４０００の例えば「伝言板」の文字を撮影したとき、拡張現実（ＡＲ）データとして、サーバアクセス用のアドレスが取得されてもよい。
【００３６】
なお上記のコードは、時間帯により異なる内容に切り替わる。切り替わる時間間隔は、例えば３０分単位、１時間単位、２時間単位、３時間単位、４時間単位など任意に設定可能である。これにより当然サーバ１００のアクセスアドレスも切り替わる。
【００３７】
上記のようにコードが切り替わる理由は、コードを読み取った携帯端末２０００が読み取ったコードを保存し、その後、サイネージ端末４０００が設置されている場所とは異なる場所から、携帯端末２０００がサーバ１０００をアクセスすることを防止するためである。もし、サイネージ端末４０００が設置されている場所とは異なる場所で、携帯端末２０００がサーバ１０００をアクセスしても、利用者は、サイネージ端末４０００の画像（カード）を見ることはできない。
【００３８】
図４は、またサイネージ端末４０００が、さらに近距離送受信機４００７を含む例を示している。近距離送受信機４００７は、携帯端末２０００と通信を行い、サーバ１０００のアドレスを携帯端末２０００に提供してもよい。
【００３９】
近距離送受信機４００７は、微弱電波、赤外線、ＷｉＦｉ（Wireless Fidelity；IEEE802.11xに準拠）、ＮＦＣ（Ｎear Field communication；低速磁気カップリング）、IEEE802.15.1に準拠するBlutooth（登録商標）、トランスファージェット（Transfer Jet；超短距離高速無線通信）などが適用されてもよい。
【００４０】
上記の近距離通信により、サイネージ端末４０００が携帯端末２０００を認識することができる場合、次のような利用が実行されてもよい。なお、携帯端末２０００がサイネージ端末４０００の近傍に位置することは、例えば携帯端末２０００からのＧＰＳ（Global Positioning System）情報をサイネージ端末４０００が取得することによって、当該サイネージ端末４０００が認識（把握）することが可能である。
【００４１】
例えばサイネージ端末４０００に、独自のアプリケーションをインストールし、通信相手を制限或いは制御できるようにしてもよい。例えば、サイネージ端末４０００が特定の相手との通信を拒否するようにすることも可能である。また特定の相手の携帯端末アドレスをサーバ１０００に転送することも可能である。またサイネージ端末４０００が特定の相手の携帯端末アドレスを検出した場合、検出したことを、特定のサーバへ通知することも可能である。
【００４２】
図５は、サイネージ端末４０００が、さらに近距離送受信機４００７とカメラ４００８を含む例を示している。
【００４３】
この実施形態の場合、カメラ４００８によりサイネージ端末４０００の近くに位置する利用者を撮像して特定することができる。サイネージ端末４０００は、利用者が、サイネージ端末４０００の前面に位置し、そしてサイネージ端末４０００の画面を覗き込んでいるかどうかを判断することができる。
【００４４】
利用者が、サイネージ端末４０００の近くで、特定のエリア（撮像エリア）に位置した場合、サイネージ端末４０００は、当該利用者がサイネージシステムを利用しようとしていると判断することができる。このとき、サイネージ端末４０００は、音声または画像を通じて利用者に対して操作案内を行っても良い。
【００４５】
この実施形態においても、サイネージ端末４０００が利用者及び携帯端末２０００を認識することができる。このために例えば、利用者がサイネージを利用することを拒否することも可能である。また利用者の顔画像をサーバ１０００或いは特定のサーバに転送することも可能である。また利用者の顔画像を過去の利用者の顔画像と比較し、不適切な利用者を割り出すことも可能となる。
【００４６】
図６Ａは、サイネージ端末４０００の表示例と携帯端末２０００（２００３）の操作例を示す図である。携帯端末２００３は、タッチパネルを兼ねる表示器（ディスプレイ）を有する。携帯端末２００３は、サイネージ端末４０００からアドレスを受け取り、サイネージシステムに参加すると、サイネージ端末４０００の操作モードに移る。
【００４７】
携帯端末２００３は、サイネージ端末４０００に表示されているカード４０１１−４０１５のなかの１つを選択（指定）することができる。
【００４８】
例えば、携帯端末２００３の表示器に矢印状の選択用マーク２０１２が表示される。利用者がこの選択用マーク２０１２を矢印が指し示す方向（右方向）へスワイプすると、サイネージ端末４０００に表示されている指定マークは、指定マーク４０３１の位置（カード４０１１の位置）から指定マーク４０３２の位置（カード４０１２の位置）へ移動することができる。さらに利用者がこの選択用マーク２０１２を矢印方向（右方向）へスワイプすると、指定マークは次のカード４０１３の位置へ移動することができる。また、選択用マーク２０１２を矢印が指し示す方向（左方向）へスワイプすると指定マークは、操作（スワイプ）毎に、カード１つ分、左方向の位置へ移動する。このように利用者は、所望のカードを指定することができる。
【００４９】
携帯端末２００３は表示器にダウンロードマーク２０１４を表示することができる。例えば、カード４０１１が指定された状態で、ダウンロードマーク２０１４が矢印方向へスワイプされると、携帯端末２００３はカード４０１１を取得することができる。カード４０１１は、実際にはサーバ１０００から携帯端末２００３に送られてくる。
【００５０】
携帯端末２００３は表示器に投函マーク２０１１を表示することができる。投函マーク２０１１をその矢印方向へスワイプすると、作成したカードがサイネージ端末４０００に表示されることができる。実際には、携帯端末２００３からサーバ１０００に作成したカードが送信される。
【００５１】
携帯端末２００３は表示器に削除マーク２０１３を表示することができる。利用者は、選択用マーク２０１２を操作し、指定マークにより、削除したいカードを指定することができる。そして、削除したいカードが指定マークにより指定された状態で、削除マーク２０１３がスワイプまたはタッチされると、指定されたカードが削除される。ただし、削除できるカードは、通常は、当該カードを作成した携帯端末２００３から投函したカードだけである。その他、カードを削除できる人は、特定の人のみ（デジタルサイネージの管理者）である。管理者は、デジタルサイネージを運営するために、例えば、特別な認証番号を所有することができる。
【００５２】
なお、携帯端末２００３（２０００）における選択用マーク及びダウンロードマークは、図６Ｂが示すように、例えば伝言板を意識可能な背景画面表示２０５０から携帯端末２００３（２０００）へ向かう方向の矢印マーク（選択用マーク）２０５２、伝言板の一つの欄（項目欄）から隣の欄への移動を示唆する右方向矢印マーク２０５３及び左方向矢印マーク２０５４のような配列（及び表示例）であってもよい。また、図６Ｂが示す表示例（配列）においては、投函マーク２０５５について、POST MESSAGEボタン２０５１をオンすることにより切り替わる次の画面（図６Ｃ）において、伝言板（サイネージ端末）４０００へ向かう方向の矢印マークを表示するものであってもよい。
【００５３】
図７は、カード４０１３のコンテンツが「格安で本日の野球観戦のチケットをゆずります」「このメッセージをダウンロードして、・・・へ来て着てください」というカード４０１３であったとする。このようなカード４０１３の場合、多くの人がチケットを欲することが予期される。そこで、チケット提供者（カードをアップロードした利用者）は、ダウンロード回数に制限を与えることができる。図７の例では、カードのダウンロード回数が残り４回であること瞬時に認識（目視）可能に、カードが重ね合わせられた状態を示している。図７の例では、ダウンロードするごとに残りのカードの枚数が１枚ずつ減らされていくように、表示される。
【００５４】
上記の例は、ダウンロード数を制限しているが、ダウンロードできる期間や時間が制限されてもよい。例えば、商品の安売り広告がカードを通じて行われる場合、広告の期間や時間が設定されてもよい。期間や時間が設定された場合、設定した期間や時間が経過すると自動的にカードが消去される。
【００５５】
図８Ａは、サイネージ端末４０００に対して、多数の投函があり、カードが縮小されて表示された例を示している。実施形態のデジタルサイネージシステムでは、１つのサイネージ端末に対して例えば１００の投函が可能である。なお、図８Ａが示す表示例においては、複数の利用者が同時に複数のカードへアクセスしている（あるいは１つのカードに複数の利用者がアクセスしている）ことを識別可能に、アクセス中の利用者自身が目視可能な識別子（識別表示）４０１６ａ（カード４０１６）、４０１７ａ（カード４０１７），４０１８ａ，４０１８ｂ（カード４０１８）が、そのカードの近傍の所定の位置に表示される。識別子（識別表示）は、例えばカラーバー（色によるマーキング）やカードの外枠の着色（カードの外枠の全周または一部の色を変える）、あるいは携帯端末のＭＡＣアドレス（Media Access Control）に従う機種表示、もしくは（携帯端末の）電話番号のいくつかの桁数の番号の表示、及びそれらの組み合わせ、などが利用可能である。もちろん、アクセス順に、１からの続き番号（一連番号）であってよく、その場合サイネージ端末４０００から個々の携帯端末（利用者）に、アクセスの順に対応した一連番号が送信される。なお、一連番号は、携帯端末（利用者）との間の通信が終了するまで、同一番号が維持されることが好ましい。
【００５６】
図８Ｂは、サイネージ端末４０００に表示された多数のカードの内、利用者が選択したカード４０１７が拡大表示された例を示している。
【００５７】
図８Ａから図８Ｂの表示状態の変化を示す実施形態は、カード拡大表示機能が動作した場合の例である。サイネージ端末４０００に多数のカードが縮小されて表示された場合、利用者には、カードのコンテンツが見難い場合がある。そこで、図８Ａのように所望のカードを選択し、例えば携帯端末４０００の拡大ボタン２０１５にタッチすると、図８Ｂのように所望のカード４０１７が拡大表示される。なお、図８Ａの表示例は、１行目（上段）に位置するカードの最も右のカードの次に選択用マーク２０１２を矢印が指し示す方向に移動する際に、２行目（下段）の左端のカードにジャンプする例であるが、直下の（２行目の右端のカードに移動し、その後左側のカードへ向かって１カード分ずつ移動させることも可能である。
【００５８】
図９は、サイネージ端末４０００が携帯端末２０００の利用者を認識する機能を有する場合のシステム動作例を示している。サイネージ端末２０００は、携帯端末２０００の携帯端末番号、或いは利用者の顔画像を取得することができる（ステップＳＢ１）。サイネージ端末２０００は、取得した利用者情報、例えば顔画像をサーバ１０００に送信する（ステップＳＢ２）。
【００５９】
するとサーバ１０００は、利用者の顔画像とデータベースを利用し、利用者を特定し、利用者が適格者であるか、不適格者であるかを判定することができる（ステップＳＢ３）。不適格者とは、例えば、犯罪者、過去サイネージ端末を破壊している経歴があるなどである。このような場合は、サーバ１０００は、サイネージ端末４０００に警告画面、或いは警告文、警告音などを送信することができる（ステップＳＢ４）。
【００６０】
図１０は、サーバ１０００が携帯端末２０００の利用者を認識する機能を有する場合のシステム動作例を示している。携帯端末２０００は、サイネージ端末４０００からアドレスを取得する（ステップＳＣ１）。そしてサイネージ端末４０００は、取得したアドレスを利用してサーバ１０００との間で回線接続する（ＳＣ２）。このとき、サーバ１０００は、携帯端末２０００の携帯番号（利用者に固有のＩＤ（識別情報））に基づいて、利用者がサイネージを利用するのに適した者であるか否かを判断する（ステップＳＣ３）。利用者が不適格者の場合、利用者の携帯端末２０００に不適格であることの通知を行う（ＳＣ４）。
【００６１】
例えば、カードが、特別な会員同士により利用可能なカードである場合、上記した適格、不適格者の判定がなされてもよい。
【００６２】
図１１は、携帯端末２０００からサーバ１０００にカードのテンプレートを要求する場合、各種のタイプのテンプレートの中から、使用したいテンプレートを選択できることを示している。図１１には、デザインや色が異なる各種のタイプのテンプレート２０３１，２０３２、２０３３を示している。
【００６３】
図１２は、サイネージ端末４０００が例えば病院の受付で利用されている一例を示している。サイネージ端末４０００は、病院に訪れた患者の診察順番を登録するために利用されている。このときは、ユーザは、診察順登録用のカードをサーバから受け取ることができる。そしてカードに指名を記入してアップロードすると、診察受け用のサイネージ端末４０００に指名が表示され、診察順の登録が完了する。
【００６４】
サイネージ端末４０００は、利用者の携帯端末２０００がダウンロード操作された場合、当該利用者は診察をキャンセル若しくは診察室に入室したと判断することができる。そして、現在のキャンセル若しくは診察室に入室した利用者から例えば５人程度後に予約している他の利用者の携帯端末に、診察が近づいてことを通知することができる。
【００６５】
図１３Ａは、例えばトムが、携帯端末（スマートホーン）２０００を操作して、メッセージを記載したカードをサイネージ端末４０００に投函する様子を示している。
【００６６】
図１３Ｂは、トムが投稿したメッセージを、例えばベティーが、携帯端末（スマートホーン）２０００を操作して、当該サイネージ端末４０００を見ながら、ダウンロードする様子を示している。
【００６７】
図１４は、トムが携帯端末２０００のカメラ機能を用いて人物の写真、或いはカタログの写真を撮影し、この写真をカードに貼り付けて、投函用のカードを作成し、そして、このカードをサイネージ端末４０００に投稿した様子を示している。この場合、カードには、写真とともにメッセージが付加されてもよい。メッセージは例えば手書き入力、或いはペン入力により実施されてもよいし、キーボードから入力されてもよい。
【００６８】
図１５は、例えば複数の衣料品店（１つの店が複数のカードを投函してもよい）が、スマートホーンを利用して、衣料品の広告を投函している様子を示している。衣料品店の店員は、携帯端末（例えばスマートホーン）のカメラ機能を用いて、でモデルやマネキンの写真を取る。次に、ユーザは、携帯端末を操作し、撮影した写真を使用するカードに貼り付ける。そして、店の近くのサイネージ端末の周辺エリアに来て、撮影した画像をコンテンツとするカードを投函することができる。この場合、音声データもカードと共に投函することができる。利用者がカードをダウンロードした場合、ダウンロードしたスマートホーンにより、音声による説明も受けることができる。
【００６９】
図１６は、本実施形態によるサイネージ端末がどのような箇所に設置されているかを示す代表的な設置箇所の例である。例えばビルの道路の側部にサイネージ４０００（１）が設置されてもよい。また、例えばビルの壁面に大型のサイネージ４０００（２）が設置されてもよい。例えばビルの入り口や、インフォメーションにサイネージ４０００（３）、４０００（４）が設置されてもよい。また、ビルの中に、４０００（５）が設置されてもよい。
【００７０】
図１７は、本実施形態によるサイネージ端末を使用するための利用者の携帯端末が実際には何処と電気的通信を行っているかを示す例である。
【００７１】
携帯端末２０００は、実際にはウエブソケットサーバ、ウエブサーバと通信を行う。このとき携帯端末２０００の近くに設置されているサイネージ端末４０００は、サーバにより制御され、あたかも携帯端末２０００と通信を行っているかのようの振舞うことができる。
【００７２】
上記した説明において、請求項の各構成要素において、構成要素を分割して表現した場合、或いは複数を合わせて表現した場合、或いはこれらを組み合わせて表現した場合であっても本発明の範疇である。また請求項を方法として表現した場合であっても本発明の装置を適用したものである。また、サイネージ端末における処理、及びサーバにおける処理は、コンピュータのプログラム・命令により動作してもよい。またコンピュータによりデータが読み取りされることが可能な情報記憶媒体（ディスクや半導体メモリ）が用いられてよいことは勿論である。
【００７３】
また、上述したサイネージシステムにおいては、サイネージ端末と携帯端末との間の通信が、実際にサイネージ端末が表示するカード（情報）を目視している利用者との間の１対１の通信であることが好ましい。このため、上述した顔認識やＧＰＳの利用、時間後とのコードの変更、などの手法を用いることで、利用者がサイネージ端末の近傍に位置することを把握することにより、サイネージシステムの利用価値を高めることができる。
【００７４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７５】
１０００・・・サーバ、２０００・・・携帯端末、３０００・・・基地局、４０００・・・サイネージ端末、５０００・・・ネットワーク、４０１１−４０１３、４０１５・・・カード、４０２０・・・コード。
【図１】
2018092659.tif 000003
【図２】
2018092659.tif 000004
【図３】
2018092659.tif 000005
【図４】
2018092659.tif 000006
【図５】
2018092659.tif 000007
【図６Ａ】
2018092659.tif 000008
【図６Ｂ】
2018092659.tif 000009
【図６Ｃ】
2018092659.tif 000010
【図７】
2018092659.tif 000011
【図８Ａ】
2018092659.tif 000012
【図８Ｂ】
2018092659.tif 000013
【図９】
2018092659.tif 000014
【図１０】
2018092659.tif 000015
【図１１】
2018092659.tif 000016
【図１２】
2018092659.tif 000017
【図１３Ａ】
2018092659.tif 000018
【図１３Ｂ】
2018092659.tif 000019
【図１４】
2018092659.tif 000020
【図１５】
2018092659.tif 000021
【図１６】
2018092659.tif 000022
【図１７】
2018092659.tif 000023